(57)【要約】      （修正有）【課題】泡立て機能付き石鹸容器を提供する。【解決手段】球形状又は楕円球状の化粧石鹸Ａを収容する容器であって、上方に開口１ａを有し下方に複数の載置用突起を有した略皿状又は略碗状の下方ケーシング１と、該下方ケーシング１の開口１ａに着脱自在に合体して全体が略卵形状又は略球形状となる透明部材又は半透明部材で形成された上方ケーシング２と、該上方ケーシング２の頂部に穿設した注排出穴部３と、を備える。【選択図】図１
0003174422.tif 000002
【実用新案登録請求の範囲】
【請求項１】
球形状又は楕円球状の化粧石鹸を収容する容器であって、上方に開口を有し下方に複数の載置用突起を有した略皿状又は略碗状の下方ケーシングと、該下方ケーシングの開口に着脱自在に合体して全体が略卵形状又は略球形状となる透明部材又は半透明部材で形成された上方ケーシングと、該上方ケーシングの頂部に穿設した注排出穴部と、を備えたことを特徴とする泡立て機能付き石鹸容器。
【考案の詳細な説明】
【技術分野】
【０００１】
本考案は、泡立て機能付き石鹸容器に関するものであり、更に詳細には、一般家庭のお風呂や洗面所に置いて、球形状又は楕円球状の化粧石鹸を収容すると共に、収容してある化粧石鹸の洗顔時には泡立て機能を有している泡立て機能付き石鹸容器に関するものである。
【背景技術】
【０００２】
一般的に洗顔用に化粧石鹸を泡立てる時は、固形状又は液状の化粧石鹸を掌に付着させて、水又はお湯を垂らして両手を合わせてこすり泡を立てながら洗顔をしており、また、床屋さんが髭剃り時にする泡立ては柔らかいブラシに水又はお湯を含ませて、固形状又は液状の化粧石鹸をかき混ぜるようにして泡を立てていた。
【０００３】
その為に、泡立て器として先に開示された、例えば、吸水性を持たない材質でつくった、上下に分離できる筒状の容器に網状の半球形の仕切りを設け仕切りと容器内に転動可能な球状の物体が内在する容器を作る。この容器に石鹸剤とお湯を適量入れ振る事で内部で微細な石鹸の泡を作り、下部容器に泡を溜めるもの（特許文献１参照）や、塊状の球部材を内在する縦方向に分断する仮想線上に沿わせて左右の半殻状部材に分割できる筒状容器内に、前記の容器を閉じて使用する時、該容器内を洗剤と液体が移動でき且つ該球部材を内包する部分と内包しない部分とに分ける半球形の剛性を有する網状の仕切り部材を該容器の片側容器内に、該容器を閉じた時に該両容器間を全域に亘って横断する様に脱着できる構造で取り付ける。使用時に左右に分割して使用する事で両方の容器に溜まった泡を有効に使う事ができるもの（特許文献２参照）や、容器（１）の底全体に、支点（２）を中心に回転する軸方向に平行な溝を全周に設けたロール（１）を、若干の間隔をおいて設けたもの（特許文献３参照）が開示されている。
【特許文献１】特開２００５−８７４７８号公報
【特許文献２】特開２００６−３４６３５１号公報
【特許文献３】実用新案登録第３０１４２６９号公報
【考案の開示】
【考案が解決しようとする課題】
【０００４】
然し乍ら、特許文献１〜２に記載のものは、容器に石鹸剤とお湯を適量入れ振る事で内部で微細な石鹸の泡を作るものであるが、泡を作るだけのもので、収容している石鹸を使用するものではなく、その都度、石鹸剤を適宜量用意しなければ成らないもので、また、特許文献３に記載のものは、小さくなった石鹸を下方からローラー３で削り乍ら泡立てるものであるが、微細な泡ができるかは疑問を有するもので、夫々に課題を有するものである。
【課題を解決するための手段】
【０００５】
本考案は、前述の課題に鑑み、鋭意研鑽の結果、球形状又は楕円球状の化粧石鹸を収容する容器であって、上方に開口を有し下方に複数の載置用突起を有した略皿状又は略碗状の下方ケーシングと、下方ケーシングの開口に着脱自在に合体して全体が略卵形状又は略球形状となる透明部材又は半透明部材で形成された上方ケーシングと、上方ケーシングの頂部に穿設した注排出穴部と、を備えたものである。
【考案の効果】
【０００６】
本考案の泡立て機能付き石鹸容器は、下方ケーシングに球形状又は楕円球状の化粧石鹸を収容し、任意量の水又はお湯を注水して、下方ケーシングの開口に着脱自在の上方ケーシングを合体させ、頂部に穿設した注排出穴部を手で塞いで振ることによりきめの細かい微細な泡を立てるもので、微細な泡は当該容器を反転させることにより、注排出穴部より掌に排出させて洗顔をするもので、更に、上方ケーシングが透明部材又は半透明部材で形成されているので、泡立ての状態は外から目視できるものであり、画期的で実用性の高い考案である。
【考案を実施するための最良の形態】
【０００７】
以下、本考案の泡立て機能付き石鹸容器の実施の形態の図面によって具体的に説明すると、図１は本考案の泡立て機能付き石鹸容器の実施例を説明するための正面説明図であり、図２は本考案の泡立て機能付き石鹸容器の実施例を説明するための平面説明図である。
【０００８】
本考案は、泡立て機能付き石鹸容器に関するものであり、更に詳細には、一般家庭のお風呂や洗面所に置いて、化粧石鹸を収容すると共に、洗顔時に泡立て器として使用できる泡立て機能付き石鹸容器に関するものであり、球形状又は楕円球状の化粧石鹸Ａを収容する容器であって、上方に開口１ａを有し下方に複数の載置用突起を有した略皿状又は略碗状の下方ケーシング１と、該下方ケーシング１の開口１ａに着脱自在に合体して全体が略卵形状又は略球形状となる透明部材又は半透明部材で形成された上方ケーシング２と、該上方ケーシング２の頂部に穿設した注排出穴部３と、を備えたことを特徴とするものである。
【実施例】
【０００９】
即ち、本考案の泡立て機能付き石鹸容器は、上方に開口１ａを有する下方ケーシング１と、下方に開口２ａを有する上方ケーシング２とから成るもので、合成樹脂等の吸水性を持たないものが好適なもので、夫々の開口１ａ．２ａは合体することにより閉鎖されるものである。
【００１０】
そして、泡立て機能付き石鹸容器に収容されている化粧石鹸Ａは、本出願人が別件で特許出願している皮膚洗浄用ゲル組成物であり、半固形ゲル洗浄剤で球形状又は楕円球状の柔らかいクッション性を有しているものある。
【００１１】
次に、下方ケーシング１は、略皿状又は略碗状の上方に開口１ａを有し下方に複数の載置用突起を有した容器であり、球状又は楕円球状の半固形ゲル状の化粧石鹸Ａを収納させるものである。
【００１２】
次いで、上方ケーシング２は、下方が開口２ａしており無色又は有色の透明部材又は半透明部材で形成され、下方ケーシング１と合体させた状態で全体が略卵形状又は略球形状と成るものである。
【００１３】
更に、下方ケーシング１の開口１ａと、上方ケーシング２の開口２ａとの合体は、夫々の開口１ａ．２ａのサイズを若干相違させて、材料特性の弾性により嵌合させて合体しても、或いは、相互の開口１ａ．２ａに螺子を螺設して螺合さることによって合体しても良く、着脱自在に合体させているものである。
【００１４】
更に、注排出穴部３は、上方ケーシング２の頂部に穿設したものであり、泡立て時に、任意量の水又はお湯を注入させることもでき、泡立て後には泡を排出させるためのものである。
【００１５】
つまり、下方ケーシング１と上方ケーシング２とは着脱自在な構造のもので、使用しない時は化粧石鹸Ａを収容して石鹸容器として使用できると共に、使用時は、上方の注排出穴部３から任意量の水又お湯を入れて、注排出穴部３を押さえながら上下に振るものである。
【００１６】
そうすると、泡立て機能付き石鹸容器の中は、密閉状態と成っており一定の容積の空気と一定の任意量の水と収容されている化粧石鹸Ａとを振って物理的に混合させると細かい泡が発生するするもので、一定の容積の空気と一定の任意量の水に対して溶け出す化粧石鹸Ａ、つまり、洗浄成分量は決まっており、毎回同じ状態の量の泡を作り出すものである。
【産業上の利用可能性】
【００１７】
本考案は、下方ケーシングに球形状又は楕円球状の化粧石鹸を収容し、任意量の水又はお湯を注水して、下方ケーシングの開口に着脱自在の上方ケーシングを合体させ、頂部に穿設した注排出穴部を手で塞いで振ることによりきめの細かい微細な泡を立てるもので、微細な泡は当該容器を反転させることにより、注排出穴部より掌に排出させて洗顔をするもので、更に、上方ケーシングが透明部材又は半透明部材で形成されているので、泡立ての状態は外から目視できるものであり、泡立て機能付き石鹸容器を提供するものである。
【図面の簡単な説明】
【００１８】
【図１】図１は本考案の泡立て機能付き石鹸容器の実施例を説明するための正面説明図である。
【符号の説明】
【００１９】
Ａ      化粧石鹸
１      下方ケーシング
１ａ    開口
２      上方ケーシング
２ａ    開口
３      注排出穴部
【図１】
0003174422.tif 000003